(57)【要約】【課題】手指消毒除菌用スプレーボトルを、設置場所を選ばず移動可能なスタンドにセットし、手指押し式ではなく、足踏み式とする。【解決手段】足踏みペダル２を足で踏み込むと中継シャフト９が押し上げられクランクアーム１１ａが回転軸１２ａを支点として回転動作をし、クランクアーム１１ｂを押し下げ、概クランクアーム１１ｂに取付け部１６と係合する凹状キャップ１５が押し下げられ、ポンプツマミ１７が垂直動作しボトル２１に収納されているポンプ本体２２が加圧され、消毒除菌液２５がノズル１８よりスプレーされる。【選択図】図２
2008229296.tif 000002
【特許請求の範囲】
【請求項１】
一般に販売され使用されている手及び指等を消毒除菌する液体を注入し使用する手動式スプレーボトルにおいて、手で押す代わりに、足踏み動作によりスプレーポンプを押し液体を噴射させることを特徴とする消毒除菌用スプレーボトル足踏みスタンド。
【請求項２】
前記消毒除菌用足踏みスタンドにおいて、ボトル形状の大小に関係なく、ボトルに取り付けたスプレーポンプと、概スプレーポンプを押すアームとの中心がずれる事のない様に、前記ボトルに取り付けたスプレーポンプにフィットする凹形状のずれ防止をスプレーポンプを押すアームの上部に設けた事を特徴とする請求項１記載の消毒除菌用スプレーボトル足踏みスタンド。
【発明の詳細な説明】
【技術分野】
【０００１】本発明は、手指消毒除菌に使用されるスプレーボトルの噴射方法に関するものである。
【背景技術】
【０００２】現在使用されている手指消毒除菌用スプレーボトルは、消毒除菌液を注入したボトル上部に付けられたスプレーポンプを、指叉は手で押し噴射させる方法である。【０００３】又、前記手指消毒除菌用スプレーボトルは、病院、公共施設、コンビニ手洗い所等の不特定多数の人が出入りする場所、又一般家庭でも備え利用するケースが増え、毎年流行する細菌性ウイルス等の感染予防に効果を上げている。
【発明が解決しようとする課題】
【０００４】しかし、手指消毒除菌用スプレーボトルの設置は、壁に固定板や金具等でボトル受け台を固定し取付けたり、又机の上に置いたりしている。これは時に設置場所を限定してしまい勝手に移動できない為に、病院等の場合、取付け場所によっては、設備品の運搬や人の往来に障害となる事がある。
【０００５】又、消毒除菌液の噴射にはスプレーポンプを指叉は手で触れ押さなければならない、これは不特定多数の人々が利用する為、特に手指で触れるポンプ上部がよごれている事が多く、直後に手洗いにより消毒除菌するとは言え、利用を控える事もある。
【課題を解決する手段】
【０００６】本発明は、手指消毒除菌用スプレーの設置場所を選ばず移動可能なスタンドにセットするもので、さらに消毒除菌液の噴射には手指を触れる事なく、足で踏む（押す）事で使用出来る様に構成している。
【０００７】前記の方法によりボトルの設置に壁等に固定板や金具等でボトル受け台を設ける必要はなく、スタンドを自由に移動出来る為、設置場所を選ばない。又手指を触れて押す必要がない為、不特定多数の人が使用する場所では利用し易い。
【０００８】スタンドは手指を消毒除菌し易い高さにスプレーボトルがセット出来るようにボトル受け台は構成され、底部のベースに足踏みペダルを備え、概足踏みペダルと前記ボトル受け台及び最上部のスプレーポンプを押すポンプ押しアームは、取付け凹状ベースにクランク機構を設け結合され、前記底面部、ボトル受け台、凹状ベース各々が取付けパイプに取付けられ概取付けパイプ内部でポンプ押しアームと足踏みペダルは中継シャフトを介し連動するように構成されている。
【０００９】又、前記スプレーポンプを押す手段として、ノズルの上下移動をなくし手に安定した消毒除菌液をスプレーする手段としてスプレーポンプの上部を固定しボトル底面をポンプ押しアームで押し上げスプレーポンプを動作する事も可能にしている。
【発明の実施と形態】
【００１０】本発明の構成を図１〜図３によって説明する。
ベース１には、底部にウエイト板４を設け概ウエイト板４にバネ６の片側を取付け、下部各コーナーに滑り止め５ａ５ｂ５ｃ５ｄを設け、支点３を設けた足踏みペダル２には、前記バネ６及び中継シャフト９を取付け、取付けパイプ８に前記中継シャフト９を通し前記ベース１に嵌め込みパイプ固定ネジ７で固定し形成されている。一方クランクアーム１１ａはカバー１０ａに設けた動作支点に回転軸１２ａによって取り付けられ、概クランクアーム１１ａとクランクアーム１１ｂを係合、回転軸１２ｂを挿入、概クランクアーム目ｂは凹状キャップ１５に設けたクランクアーム１１ｂの取付け部１６と係合、回転軸１２ｃを挿入しクランク機構を形成し、又ボトル２１は、ポンプツマミ１７、ノズル１８、連動するスライドシャフト１９、ボトルキャップ２０、ポンプ本体２２で形成され、消毒除菌液２５が注入され、ボトル入れボックス２３にセットされ、前記取付けパイプ７に取付けボックス固定ネジ２４で固定される。前記したクランク機構は、クランクアーム１１ａに設けた貫通孔１３と前記中継シャフト９を係合させ、カバー１０ａを取付けパイプ８にカバー取り付けネジ１４で固定し構成されている
【実施例】
【００１１】本発明の実施例を図１〜図４によって説明する。
足踏みペダル２を足で踏み込むと中継シャフト９が押し上げられクランクアーム１１ａが回転軸１２ａを支点として回転動作をし、クランクアーム１１ｂを押し下げ、概クランクアーム１１ｂに取付け部１６と係合する凹状キャップ１５が押し下げられ、ポンプツマミ１７が垂直動作しボトル２１に収納されているポンプ本体２２が加圧され、消毒除菌液２５がノズル１８よりスプレーされる。【００１２】又、前記方法とは逆の動作となるがポンプツマミ１７上部に固定カバー２７を設け概固定カバー２７は取付けパイプ８上部に固定カバー取付けネジ２８で固定し、前記ポンプツマミ１７が密着するように取り付け、足踏みペダル２を足で踏み込むと中継シャフト９が押し下げられクランクアーム１１ａが回転軸１２ａを支点として回転動作をし、クランクアーム１１ｂを押し上げ、概クランクアーム１１ｂに取付け部１６と係合するボトルリフト２６も押し上げられ、同時にボトル２１も押し上げられポンプツマミ１７が垂直動作しポンプ本体２２が加圧され、消毒除菌液２５がノズル１８よりスプレーされる。
【発明の効果】
【００１３】１、設置場所を選ばない。
２、移動が容易に出来る。
３、足踏み式な為手を汚さず清潔である。
【図面の簡単な説明】
【００１４】
【図１】本発明の手指消毒除菌用スプレーボトルの足踏みスタンドを示す斜視図
【図２】本発明の手指消毒除菌用スプレーボトルの足踏みスタンドを示すワイヤフレーム斜視図
【図３】本発明の手指消毒除菌用スプレーボトルの足踏みスタンドを示すワイヤフレーム右側面図
【図４】発明の手指消毒除菌用スプレーボトルのボトル押し上げ方法の足踏みスタンドを示すワイヤフレーム右側面図
【符号の説明】
【００１５】１：ベース
２：足踏みペダル
３：支点
４：ウエイト板
５ａ、５ｂ、５ｃ、５ｄ：滑り止め
６：バネ
７：パイプ固定ネジ
８：取付けパイプ
９：中継シャフト
１０ａ、１０ｂ：カバー
１１ａ、１１ｂ：クランクアーム
１２ａ、１２ｂ、１２ｃ：回転軸
１３：貫通孔
１４：カバー取り付けネジ
１５：凹状キャップ
１６：取付け部
１７：ポンプツマミ
１８：ノズル
１９：スライドシャフト
２０：ボトルキャップ
２１：ボトル
２２：ポンプ本体
２３：ボトル入れボックス
２４：ボックス固定ネジ
２５：消毒除菌液
２６：ボトルリフト
２７：固定カバー
２８：固定カバー取付けネジ
【図１】
2008229296.tif 000003
【図２】
2008229296.tif 000004
【図３】
2008229296.tif 000005
【図４】
2008229296.tif 000006